(57)【要約】      （修正有）【課題】小物ケース等を携帯可能な機能を有しつつコストアップを抑えたカメラ用ストラップを提供する。【解決手段】カメラ用ストラップ１は、ストラップ本体２と、ストラップ本体に一方の端部が一体に固着され、予め定めた形状の窓部４３を有する、連結部４と、カメラ６に着脱自在な紐先端部３ｐ１、及びストラップ本体２に連結される連結部４の窓部４３に配置されてカラビナ２１を装着可能にする装着部５を構成する紐基端部３ｐ２を有する、ストラップ紐３と、を具備する。【選択図】図１
0003199385.tif 000002
【実用新案登録請求の範囲】
【請求項１】
ストラップ本体と、
前記ストラップ本体に一方の端部が一体に固着される、予め定めた形状の窓部を有する、連結部と、
第１端及び第２端を有し、カメラに着脱自在な第１端部、及び前記連結部を介して前記ストラップ本体に連結される該連結部の窓部に配置されて取付部材を装着可能にする機能部を構成する第２端部を有する、ストラップ紐と、
を具備することを特徴とするカメラ用ストラップ。
【請求項２】
前記連結部は、
扁平な第１連結部材と、前記第１連結部材に固着される該第１連結部材と同形状な第２連結部材と、を備え、該第２連結部材又は前記第１連結部材の少なくとも一方の予め定めた位置に前記窓部となる開口を設けたことを特徴とする請求項１に記載のカメラ用ストラップ。
【請求項３】
前記ストラップ紐の第２端部は、前記第１連結部材と前記第２連結部材との間に配置された状態で、固着部によって該第１連結部材と該第２連結部材との間に固着されるとともに、前記連結部の窓部内に配置されることを特徴とする請求項２に記載のカメラ用ストラップ。
【請求項４】
前記第２端部は、前記連結部の長手軸に直交する前記窓部の前記ストラップ本体側の辺より外方側及び該ストラップ本体側の辺に対向する辺より外方側に前記固着部を設けることによって該窓部内に配置されて、前記取付部材を通すことが可能な空間を有する機能部を構成することを特徴とする請求項３に記載のカメラ用ストラップ。
【請求項５】
前記窓部内に該窓部内に配置された前記第２端部を前記連結部に固着するための１つ又は複数の固着部をさらに設け、該窓部内に前記取付部材を通すことが可能な空間を有する複数の機能部を構成することを特徴とする請求項４に記載のカメラ用ストラップ。
【請求項６】
予め、前記第２端部の第２端側面、及び前記連結部を構成する前記連結部材が有する前記開口のストラップ本体側辺より外方側面に該第２端部を該連結部に対して取付け取外し可能にする着脱部材を設け、
前記固着部を前記ストラップ本体側の辺に対向する辺より外方側に設けることによって前記第２端部の第２端側を自由端にして該第２端部を前記連結部の窓部内に配置して、
前記自由端である第２端部を前記連結部に対して取付けた固着状態にしたとき、前記連結部の窓部に前記取付部材が装着される機能部が構成されることを特徴とする請求項３に記載のカメラ用ストラップ。
【考案の詳細な説明】
【技術分野】
【０００１】
本考案は、カメラに取り付けられるカメラ用ストラップに関する。
【背景技術】
【０００２】
従来より、カメラは、カメラ用ストラップをカメラに取り付けることによって、首、あるいは、肩にかけて持ち運ぶことができる。カメラを身に付けて持ち運ぶことによって、シャッターチャンスを逃がすことなく、撮影を行える。
【０００３】
デジタルカメラの普及に伴い、ユーザーは、デジタルカメラを持ち運ぶ際、合わせて、予備のバッテリ、予備の記録媒体等の小物を持ち運ぶようにしている。
【０００４】
これら小物は、一般にバッグ、ウエストポーチ、カメラケース等に収めて持ち運ばれる。このため、手ぶらでカメラだけを身に付けてカメラ撮影を行っていた場合、バッテリー切れ等の不測の事態に対処することが困難になる。
【０００５】
特許文献１には、装飾物を取り付け可能なカメラ用ストラップが示されている。このカメラ用ストラップには、装飾物を装着するためのリング部が設けられている。このカメラ用ストラップにおいて、バッテリ、記録媒体等を収容した小物ケースをリング部に取り付けることによって、カメラと共に該バッテリ、記録媒体等を携帯することが可能になる。
【先行技術文献】
【特許文献】
【０００６】
【特許文献１】特開２０１２−１０３７３６号公報
【考案の概要】
【考案が解決しようとする課題】
【０００７】
しかしながら、特許文献１のカメラ用ストラップでは、別部材である装飾物取付リング部を取り付け部の端部に設けているため、部品点数が増えるとともに、装飾物取付リング部をストラップに固着するための新たな作業が必要になり、コストアップの要因になっている。
【０００８】
本考案は上記事情に鑑みてなされたものであり、小物ケース等を携帯可能な機能を有しつつコストアップを抑えたカメラ用ストラップを提供することを目的としている。
【課題を解決するための手段】
【０００９】
本考案の一態様のカメラ用ストラップは、ストラップ本体と、前記ストラップ本体に一方の端部が一体に固着される、予め定めた形状の窓部を有する、連結部と、第１端及び第２端を有し、カメラに着脱自在な第１端部、及び前記連結部を介して前記ストラップ本体に連結される該連結部の窓部に配置されて取付部材を装着可能にする機能部を構成する第２端部を有する、ストラップ紐と、を具備している。
【考案の効果】
【００１０】
本考案によれば、小物ケース等を携帯可能な機能を有しつつコストアップを抑えたカメラ用ストラップを実現できる。
【図面の簡単な説明】
【００１１】
【図１】カメラ用ストラップを説明する図
【図２】カメラ用ストラップの要部を説明する正面図
【図３】図２の矢印Ｙ３−Ｙ３線断面図
【図４】連結部を構成する部品の分解斜視図を含む、装着部を説明する図
【図５Ａ】第１連結部材にストラップ本体及びストラップ紐を配置した状態を示す図
【図５Ｂ】図５Ａの状態にさらに第２連結部材を配置した状態を示す図
【図５Ｃ】第２連結部材の開口から紐基端部を引き出した状態を示す図
【図５Ｄ】縫製を行って形成されたカメラ用ストラップを説明する正面図及び側面図
【図６】カメラ用ストラップの他の構成例であって、第１連結部材に開口を有する構成を示す図
【図７Ａ】装着部を複数設けたカメラ用ストラップの構成を説明する図
【図７Ｂ】装着部を複数設けたカメラ用ストラップの他の構成例であって、第１連結部材に開口を有する構成を示す図
【図８Ａ】連結部を構成する部品の分解斜視図を含む、自由端を有する装着部を説明する図
【図８Ｂ】装着部を自由端を有する紐基端部で構成したカメラ用ストラップを説明する図
【図８Ｃ】リング部材を装着部に装着する手順を示す図
【考案を実施するための形態】
【００１２】
本考案に係るカメラ用ストラップを図面を参照して説明する。  
なお、以下の説明に用いる各図においては、各構成要素を図面上で認識可能な程度の大きさとするため、構成要素毎に縮尺を異ならせてあるものであり、本考案は、これらの図に記載された構成要素の数量、構成要素の形状、構成要素の大きさの比率、及び各構成要素の相対的な位置関係のみに限定されるものではない。
【００１３】
図１に示すようにカメラ用ストラップ１は、ストラップ本体２と、ストラップ紐３と、連結部４と、を有する。符号５は装着部である。装着部５は、取付部材である例えばカラビナ２１を取り付け可能にする機能部である。符号２０は、小物ケースであり、小物ケース２０にはカラビナ２１が設けられている。
【００１４】
ストラップ本体２は、ユーザー１０の首、肩に当てられる部分であって、予め定めた幅、及び、予め定めた長さを有する。ストラップ本体２は、革製、布製、アクリル製等である。
【００１５】
ストラップ紐３は、例えば帯状の先紐であって、ストラップ本体２より幅狭である。ストラップ紐３の第１端部である紐先端部３ｐ１は、カメラ６に設けられたストラップ取付部６ａにそれぞれ取付けられるようになっている。  
符号７はコキ、符号８はサルカンであり、紐先端部３ａが通されて配置される。
【００１６】
図２、図３に示すようにストラップ紐３は、第１端である紐先端３ａと第２端である紐基端３ｂとを備え、予め定めた長さを有している。ストラップ紐３の紐基端３ｂ側であって第２端部である紐基端部３p２は、連結部４を介して、ストラップ本体２の一方の端部、及び、他方の端部に一体に固着されている。
【００１７】
図２−図４に示すように連結部４は、例えば革製で扁平な第１連結部材４１及び第２連結部材４２を有している。第１連結部材４１の外形と第２連結部材４２の外形とは同形状であって、第２連結部材４２の予め定めた位置には予め定めた形状の開口４２ｍが設けられている。開口４２ｍは、連結部４の一面側に窓部４３として設けられる。
【００１８】
開口４２ｍの幅は、ストラップ紐３の幅よりも予め大きく形成されている。図１に示すように窓部４３内にはストラップ紐３の紐基端部３ｐ２が配置される。窓部４３内に配置された紐基端部３ｐ２は、装着部５を構成する。
【００１９】
図４、図５Ａ−図５Ｄを参照してカメラ用ストラップの形成作業を説明する。  
作業者は、カメラ用ストラップ１を製作するにあたって、予め、ストラップ本体２と、二組のストラップ紐３と、二組の第１連結部材４１及び第２連結部材４２と、を準備する。
【００２０】
そして、作業者は、図４に示すように第１連結部材４１及び第２連結部材４２を用意して、ストラップ紐３の紐基端３ｂ側である紐基端部３p２をストラップ本体２の一方の端部２ａに固着する作業を開始する。
【００２１】
まず、作業者は、図５Ａに示すように第１連結部材４１の載置面４１ａ上の予め定めた位置にストラップ本体２の一方の端部２ａを配置する。また、第１連結部材４１の載置面４１ａ上の予め定めた位置にストラップ紐３の紐基端部３ｐ２を配置する。  
このとき、紐基端部３ｐ２の紐基端３ｂ側端部を、第１連結部材４１に配置したストラップ本体２の一方の端部２ａの表面２ｂの予め定めた位置に配置する。この配置状態において、ストラップ紐３の長手方向中心線と、第１連結部材４１の長手方向中心線と、ストラップ本体２の長手方向中心線と、が同一線上になると好適である。
【００２２】
次に、作業者は、図５Ｂに示すように第２連結部材４２をストラップ本体２及びストラップ紐３の紐基端部３ｐ２が配置された第１連結部材４１上に配置する。このとき、第２連結部材４２の長手方向中心線がさらに、ストラップ紐３、第１連結部材４１及びストラップ本体２の長手方向中心線と同一線上になると好適である。
【００２３】
この配置状態において、作業者は、図５Ｃの矢印Ｙ５Ｃに示すように第２連結部材４２の開口４２ｍから紐基端部３ｐ２の中途部を予め定めた量、引き出しておく。
【００２４】
次いで、作業者は、連結作業に移行する。  
本実施形態において、ストラップ紐３をストラップ本体２に連結する連結部４は、第１連結部材４１と第２連結部材４２とを主に縫製することによって形成される。したがって、固着部は、縫製部である。  
図５Ｄに示すように作業者は、第１連結部材４１と第２連結部材４２との間に挟持されている固着ストラップ紐３の紐基端部３ｐ２を開口４２ｍから突出させた状態を保持して縫製を行う。このことによって、連結部４が形成されて、ストラップ紐３の紐基端３ｂ側である紐基端部３p２がストラップ本体２の一方の端部２ａに固着される。
【００２５】
具体的に、作業者は、窓部４３となる開口４２ｍのストラップ本体側辺４２ａより該開口４２ｍより外方側に第１縫製部５１を設ける。この結果、紐基端部３ｐ２の紐基端３ｂ側及びストラップ本体２の一方の端部２ａが第１連結部材４１と第２連結部材４２とに挟持された状態で強固に一体的に固着される。
【００２６】
また、作業者は、開口４２ｍの該ストラップ本体側辺４２ａに対向する対辺４２ｂより該開口４２ｍより外方側に第２縫製部５２を設ける。この結果、紐基端部３ｐ２が第１連結部材４１と第２連結部材４２とに挟持された状態で強固に一体的に固着される。
【００２７】
なお、ストラップ本体側辺４２ａ及び対辺４２ｂは、連結部４の長手方向中心線４ａに直交する辺である。また、符号５３ａ、５３ｂは、長手軸方向縫製部であって、長手軸方向縫製部５３ａ、５３ｂを第１連結部材４１及び第２連結部材４２の外縁部側に長手方向中心線４ａに沿うように形成することによって、第１連結部材４１と第２連結部材４２とが一体的に固着される。
【００２８】
この後、作業者は、上述と同様に連結部４を形成して、残りのストラップ紐３の紐基端３ｂ側である紐基端部３p２をストラップ本体２の他方の端部に固着する。この結果、連結部４の窓部４３にカラビナ２１等の取付部材を通すことが可能な空間５ｓを有する装着部５を設けたカメラ用ストラップ１が形成される。
【００２９】
このように、連結部４を構成する第２連結部材４２に窓部４３を形成するための開口４２ｍを設け、この開口４２ｍからストラップ紐３の紐基端部３ｐ２を引き出した上で、縫製部５１、５２、５３ａ、５３ｂを設けて連結部４を形成する。このことによって、別部材を設けること無くストラップ紐３の紐基端部３ｐ２が装着部５を構成するカメラ用ストラップ１を、コストアップを抑えて形成することかできる。
【００３０】
なお、上述した実施形態においては、ストラップ本体２の一方の端部２ａ側と他方の端部側に装着部５を有する連結部４を設けるとしている。しかし、装着部５を一方の端部２ａ側、あるいは、他方の端部側の一方だけに設けるようにしてもよい。
【００３１】
また、上述した実施形態においては、連結部４を構成する第２連結部材４２に開口４２ｍを形成するとしている。しかし、図６に示すように第２連結部材４２に開口４２ｍを形成するとともに第１連結部材４１に開口４１ｍを形成して、実線に示すように第２連結部材４２の開口４２ｍから紐基端部３ｐ２を引き出して、あるいは、破線に示すように第１連結部材４１の開口４１ｍから紐基端部３ｐ２を引き出して、装着部５を連結部４に設ける構成であってもよい。
【００３２】
また、連結部４を構成する第１連結部材４１に開口４１ｍを形成して別部材を設けること無くストラップ紐３の紐基端部３ｐ２が装着部５を構成するカメラ用ストラップ１を形成するようにしてもよい。
【００３３】
また、上述した実施形態においては、連結部４に一つの装着部５を設ける構成を示している。しかし、連結部４に設ける装着部５の数は一つに限定されるものでは無く、図７Ａに示すように窓部４３内に例えば窓部縫製部５４、５５を設けて、３つの装着部５Ａ、５Ｂ、５Ｃを有する連結部４を構成するようにしてもよい。
【００３４】
また、図７Ｂに示すように例えば３つの窓部４４、４５、４６を設けて、３つの装着部５Ａ、５Ｂ、５Ｃを有する連結部４を構成するようにしてもよい。  
第１窓部４４は、第１連結部材４１の第１開口４１ｍ１と第２連結部材４２の第１開口４２ｍ１とで構成され、第２窓部４５は、第１連結部材４１の第２開口４１ｍ２と第２連結部材４２の第２開口４２ｍ２とで構成され、第３窓部４６は、第１連結部材４１の第１開口４１ｍ３と第２連結部材４２の第１開口４２ｍ３とで構成される。
【００３５】
図７Ａ、図７Ｂにおいては、連結部４に設ける装着部の数を３つとしている。しかし、連結部４に設ける装着部の数は、２つあるいは３つ以上であってもよい。
【００３６】
また、上述した実施形態においては、第１縫製部５１及び第２縫製部５２を設けて窓部４３から引き出した紐基端部３ｐ２に取付部材を通すことが可能な空間５Ｓを有する装着部５としている。しかし、連結部の装着部を以下に示すように設けてもよい。  
本実施形態の装着部５Ｄは、自由端を有する紐基端部３p２によって構成される。  
図８Ａ−図８Ｃを参照して装着部５Ｄの構成を説明する。
【００３７】
図８Ａに示す第１連結部材４１及び第２連結部材４２の間にストラップ本体２と、ストラップ紐３とを挟持した状態で縫製することによって装着部５Ｄを有する連結部４Ａが構成される。
【００３８】
本実施形態において、第２連結部材４２のストラップ本体側辺４２ａより外方側面４２ｆには予め第１面ファスナ６１のループ側が設けられ、紐基端部３p２の紐基端側面３ｆには予め第２面ファスナ６２のフック側が設けられている。  
面ファスナ６１、６２は、着脱部材であって、第１面ファスナ６１がフック側で第２面ファスナ６２がループ側であってもよい。
【００３９】
本実施形態においては図８Ｂに示すように第１縫製部５１を設けることによって、ストラップ本体２の一方の端部２ａが第１連結部材４１と第２連結部材４２とに挟持された状態で強固に一体的に固着される。一方、第２縫製部５２を設けることによって、紐基端部３ｐ２が第１連結部材４１と第２連結部材４２とに挟持された状態で強固に一体的に固着される。  
この結果、窓部４３内に配置された紐基端部３ｐ２の紐基端３ｂ側が自由端となる。
【００４０】
そして、自由端側に設けられた第２面ファスナ６２を、連結部４を構成する第２連結部材４２に設けられた第１面ファスナ６１に取り付けて固着状態にすることによって、連結部４の窓部４３にカラビナ２１等の取付部材が装着可能な装着部５Ｄが構成される。
【００４１】
この構成によれば、図８Ｃに示すように取付部材がリンク部材２２の場合、第２面ファスナ６２が第１面ファスナ６１に取り付けられていない状態において、紐基端部３ｐ２をリング部材２２に挿通させ、その後、第２面ファスナ６２を破線に示すように第１面ファスナ６１に固着状態にすることによって、容易に装着部５Ｄにリング部材２２を装着することができる。
【００４２】
なお、上述したカメラ用ストラップ１においては、ストラップ本体２、ストラップ紐３、連結部材４１、４２を、金属部品を一切使うこと無く、つまり非金属材料で構成することにより、カメラを傷付けることがない。また、小物ケースを保持していない状態において装着部５がカメラ用ストラップ１の使用を妨げることが無い。
【符号の説明】
【００４３】
１…カメラ用ストラップ  
２…ストラップ本体
３…ストラップ紐
３ｐ２…紐基端部
４…連結部
５…装着部  
５Ｓ…空間
６…カメラ
２０…小物ケース
２１…カラビナ
４１…第１連結部材
４２…第２連結部材
４３…窓部
【図１】
0003199385.tif 000003
【図２】
0003199385.tif 000004
【図３】
0003199385.tif 000005
【図４】
0003199385.tif 000006
【図５Ａ】
0003199385.tif 000007
【図５Ｂ】
0003199385.tif 000008
【図５Ｃ】
0003199385.tif 000009
【図５Ｄ】
0003199385.tif 000010
【図６】
0003199385.tif 000011
【図７Ａ】
0003199385.tif 000012
【図７Ｂ】
0003199385.tif 000013
【図８Ａ】
0003199385.tif 000014
【図８Ｂ】
0003199385.tif 000015
【図８Ｃ】
0003199385.tif 000016